(57)【要約】【課題】  製作が容易で、吊り込みのための作業時間も短縮できる吊り込み構造の建築用シャッターを提供する。【解決手段】  巻取りシャフト１には、シャッターカーテン３の最上部のスラットのカール部を嵌合させて係止する係止部１ａ，１ｂが一体成型されている。２つの係止部１ａ，１ｂが、シャッターカーテンの２方向の巻き取り方向に対応したものである。図は、スラット２の外面を室外側とした場合の吊り込み態様である。係止部１ａ，１ｂの周方向の位置は、スラットの外面側に膨らんだ湾曲部の位置に形成されている。【選択図】  図３
2006328657.tif 000002
【特許請求の範囲】
【請求項１】
シャッターカーテンを巻き取るための建築用シャッターの巻取りシャフトにおいて、該巻取りシャフトの長手方向にシャッターカーテンの上端のカール部を嵌合させて係止する少なくとも２つの係止部が、それぞれシャッターカーテンの２方向の巻き取り方向に対応して、前記巻取りシャフトと一体的に形成されていることを特徴とする建築用シャッターの巻取りシャフト。
【請求項２】
前記係止部は、係止したシャッターカーテンのスラットにおける上下のカール部の中間の位置に形成されていることを特徴とする請求項１に記載の建築用シャッターの巻取りシャフト。
【請求項３】
前記巻取りシャフトに巻かれるシャッターのスラットが、上下のカール部の間に湾曲部が形成されたスラットであり、前記係止部は、係止したシャッターカーテンの前記スラットの外面側に膨らんだ湾曲部に位置して形成されていることを特徴とする請求項１に記載の建築用シャッターの巻取りシャフト。
【請求項４】
前記係止部の少なくとも１つは、カール部を覆い被すように嵌合させて係止する形状であることを特徴とする請求項１ないし３のいずれか１項に記載の建築用シャッターの巻取りシャフト。
【請求項５】
請求項１ないし４のいずれか１項に記載の巻取りシャフトを有することを特徴とする建築用シャッター。
【発明の詳細な説明】
【技術分野】
【０００１】
この発明は、開閉するシャッターカーテンを巻き上げ、また、巻き降ろすための巻取りシャフト、特に、シャッターカーテンを係止する係止部を備えた建築用シャッターの巻取りシャフト、および、建築用シャッターに関するものである。
【背景技術】
【０００２】
従来の巻取りシャフトにシャッターカーテンを取付する構造としては、特許文献１に記載されているように、シャッターカーテンの上端のスラットをネジで固定する固定構造が用いられている。
【０００３】
図５は、スラットをネジで固定したシャッターカーテンの吊り込み方法の従来例を説明するためのもので、図５（Ａ）は全体図、図５（Ｂ）は巻取りシャフト近傍の断面図である。図中、１１はシャッターカーテン、１１ａは吊り込み用スラット、１２はケース、１３はガイドレール、１４は巻取りシャフト、１５は固定ネジである。
【０００４】
シャッターカーテン１１は、ガイドレール１３に案内されて、ケース１２に内装された巻取りシャフト１４に巻き取られ、また、巻き戻されて、建物等の開口部を開閉する。シャッターカーテン１１の最上部の吊り込み用スラット１１ａには、巻取りシャフト５に設けられたネジ孔に対応する位置に孔が開けられており、この孔を通して固定ネジ１５によって、吊り込み用スラット１１ａを巻取りシャフト５に固定して、シャッターカーテン１１を吊り込む。ネジ止めの吊り込み方法は、ネジだけでシャッターカーテン１１の重量を支えているため、多くの固定ネジ１５を使用する必要があり、製作に手間がかかかることと、吊り込みのための作業に時間がかかるなどの問題を有している。
【特許文献１】特開平８−１２１０４３号公報
【発明の開示】
【発明が解決しようとする課題】
【０００５】
本発明は、上述した事情に鑑みてなされたもので、製作が容易で、吊り込みのための作業時間も短縮できる吊り込み構造の建築用シャッターの巻取りシャフト、および、この巻取りシャフトを用いた建築用シャッターを提供することを課題とするものである。
【課題を解決するための手段】
【０００６】
本発明は、シャッターカーテンを巻き取るための建築用シャッターの巻取りシャフトにおいて、該巻取りシャフトの長手方向にシャッターカーテンの上端のカール部を嵌合させて係止する少なくとも２つの係止部が、それぞれシャッターカーテンの２方向の巻き取り方向に対応して、前記巻取りシャフトと一体的に形成されていることを特徴とするものである。
【発明の効果】
【０００７】
本発明によれば、巻取りシャフトに一体的に係止部を設けたことで、巻取りシャフトと平行に係止部が成型で形成できるため、製造が容易であり、別部材を取り付けてねじ固定する従来の方法よりも組立が容易となる。
【発明を実施するための最良の形態】
【０００８】
シャッターカーテンを巻き取るための建築用シャッターの巻取りシャフトには、巻取りシャフトの長手方向にシャッターカーテンの上端のカール部を嵌合させて係止する係止部が軽合金材料、例えば、アルミ合金等の押し出しにより巻取りシャフトと一体的に成型されている。係止部は、シャッターカーテンの２方向の巻き取り方向、すなわち、一方の方向および他方の方向におけるスラットの上端のカール部の形状に対応して、カール部を嵌合させることができるように形成されている。
【実施例１】
【０００９】
図１は、本発明の建築用シャッターの巻取りシャフトの実施例を説明するための断面図である。図中、１は巻取りシャフト、１ａ，１ｂは係止部、１ｃは変形部である。
【００１０】
巻取りシャフト１は、中空のパイプ状に成型され、両端に軸付きホイルを取り付けて、シャッターカーテンを巻き取るためのものである。この実施例では、２箇所の係止部１ａ，１ｂと変形部１ｃが同時に成型されて形成されている。巻取りシャフト１の材料は、金属材料、例えば、アルミ合金などの軽合金材料で形成される。係止部１ａ，１ｂは、後述するように、シャッターカーテンを吊り込むためのものであり、変形部１ｃは、やや凹ませるように形成され、巻取りシャフト１の長手方向の剛性を大きくするように補強する作用を持たせたものである。係止部１ａ，１ｂおよび変形部１ｃは、長手方向（母線方向）に連続して形成されている。係止部１ａ，１ｂが形成される部分は、巻取りシャフト１の包絡線（外周）よりも、凹んだ表面から形成されている。表面を凹ませることによって生じた段部により、巻取りシャフト１の長手方向の剛性を大きくできるとともに、係止部１ａ，１ｂの包絡線からの高さを低くできる。
【００１１】
この巻取りシャフト１に巻き取られ、また、巻取りシャフト１から巻き戻されるシャッターカーテンは、複数本のスラットが綴られたものである。スラットの一例の断面図を図２に示す。図中、２はスラット、２ａ，２ｂはカール部、２ｃは湾曲部である。
【００１２】
この例のスラット２では、上端および下端に、それぞれ形状が異なるカール部２ａ，２ｂが形成され、上下に位置するスラットとのカール部同士を嵌合させて連結することによってシャッターカーテンが形成される。カール部２ａ，２ｂの間の胴部に相当する部分には、湾曲部２ｃが形成され、長手方向の曲げに対する強度の向上を図っている。なお、この明細書では、湾曲して突き出た面を外面、湾曲して凹んだ面を内面と呼ぶことにする。シャッターカーテンが巻取りシャフトに巻かれる場合には、内面が巻取りシャフト側に向くように巻かれる。しかし、本発明の巻取りシャフト１に適用されるシャッターカーテンのスラットは、必ずしも湾曲部を有していなくてもよく、胴部に相当する部分が平坦でもよい。
【００１３】
図１で説明した巻取りシャフト１に図２で説明したスラットにより構成されたシャッターカーテンを吊り込む態様の実施例を図３，図４により説明する。図３（Ａ）は一方の巻き取り方向での吊り込み状態の説明図、図３（Ｂ）は図３（Ａ）の吊り込み状態における巻き上げ状態の説明図、図４（Ａ）は他方の巻き取り方向での吊り込み状態の説明図、図４（Ｂ）は図４（Ａ）の吊り込み状態における巻き上げ状態の説明図である。図中、図１，図２と同じ部分には同じ符号を付して説明を省略する。３はシャッターカーテン、４は横ズレ防止用固定ネジである。
【００１４】
図３は、巻取りシャフトを室内側に設置し、外面を室外側とした場合の吊り込み態様である。雨仕舞の観点から、図２に図示した、外面側に巻き込むように形成されたカール部２ａが上端側となるようにスラット２が綴られてシャッターカーテン２が構成される。したがって、最上部のスラットにおいて外面側に巻き込むように形成されたカール部２ａが係止部１ａに嵌合されて係止される。係止部１ａは、カール部２ａを覆い被すように嵌合して係止する形状の係止部が用いられる。強度面から有利である。また、図３（Ｂ）から分かるように、係止部１ａ，１ｂの周方向の位置は、係止部１ａ，１ｂの上に位置するスラットにおける上下のカール部の中間の位置、図２のように、湾曲部が形成されたスラットでは、スラットの外面側に緩やかに膨らんだ湾曲部の位置に形成されるのがよい。
【００１５】
図４は、巻取りシャフトを室外側に設置し、外面を室内側とした場合の吊り込み態様である。雨仕舞の観点から、図２に図示したものとは上下を反転させて、内面側に巻き込むように形成されたカール部２ｂが上端側となるようにスラット２が綴られてシャッターカーテン２が構成される。したがって、最上部のスラットにおいて内面側に巻き込むように形成されたカール部２ｂが係止部１ｂに嵌合されて係止される。係止部１ｂは、カール部２ｂが係止部１ｂを覆い被すように嵌合させて係止する形状の係止部が用いられるが、図３で説明した係止部１ａのように、カール部２ｂを覆い被すように嵌合して係止する形状の係止部が用いられてもよい。この吊り込み態様でも、図４（Ｂ）から分かるように、係止部１ａ，１ｂの周方向の位置は、係止部１ａ，１ｂの上に位置するスラットにおける上下のカール部の中間の位置、図２のように、湾曲部が形成されたスラットでは、スラットの外面側に緩やかに膨らんだ湾曲部の位置に形成されるのがよい。
【００１６】
係止部１ａ，１ｂの周方向の位置について説明する。シャッターカーテンを巻き取る際に、スラット２のカール部２ａ，２ｂおよびスラット２の内面側（巻取りシャフト側）に膨らんでいる湾曲部が巻取りシャフト１上の係止部１ａまたは１ｂに当接すると、その部分の巻き半径が大きくなり、シャッターカーテンの収納部が大きくなるだけではなく、シャッターカーテンを巻き取る巻取りトルクが極端に大きくなり、巻き上げができないという不具合が生じる可能性がある。
【００１７】
そのため、上述したように、巻取りシャフト１に一体的に設けた係止部１ａ，１ｂの周方向の位置は、胴部が平坦であるスラットを用いたシャッターカーテン等では、係止部１ａ，１ｂの上に位置するスラットにおける上下のカール部の中間の位置、胴部に緩やかな湾曲部が形成されたスラットを用いたシャッターカーテンでは、スラットの湾曲部の比較的緩やかで、外面側に膨らんでいる湾曲面に位置するような位置にするのがよい。
【００１８】
本発明の巻取りシャフトでは、巻取りシャフトに一体に係止部を設けたことで、巻取りシャフトと平行に係止部が成型できるため、別部材を取り付けてネジで固定する従来の方法よりも組立が容易となる。
【００１９】
なお、図３（Ｂ）および図４（Ｂ）では、横ズレ防止用固定ネジ４によって、最上部のスラットが巻取りシャフト１に固定されている。比較的大きなシャッターについては、シャッターカーテン巻取り、巻き戻し時に発生するスラスト方向へ力が加わり、シャッターカーテン全体が横ずれを起こすことも考えられるので、係止部に係止して吊り込んだスラットについて、スラットの両端部から適当な位置に横ズレ防止用固定ネジ４によって、スラットを巻取りシャフト１に固定したのである。したがって、横ズレ防止用固定ネジ４は、このような横ズレが問題にならない場合には、必要とするものではない。横ズレ防止用固定ネジ４を用いたとしても、横ズレ防止用固定ネジ４は、シャッタースラットの荷重を受けるものではないから、１，２本程度で足りるものであり、従来のネジ固定の際のネジに比べて、製造や組立は容易である。
【００２０】
また、上述した実施例では、係止部は２つ設けられているが、３つ以上設けてもよく、２種類以上のスラットのカール部の形状に対応させた係止部を形成することができる。
【産業上の利用可能性】
【００２１】
本発明によれば、巻取りシャフトに一体的に係止部を設けたことで、製造が容易で、組立も容易な建築用シャッターの巻取りシャフト、および、建築用シャッターを提供することができる。
【図面の簡単な説明】
【００２２】
【図１】本発明の建築用シャッターの巻取りシャフトの実施例を説明するための断面図である。
【図２】スラットの一例の断面図である。
【図３】吊り込み状態の説明図である。
【図４】吊り込み状態の説明図である。
【図５】スラットをネジで固定したシャッターカーテンの吊り込み方法の従来例を説明するためのもので、図５（Ａ）は全体図、図５（Ｂ）は巻取りシャフト近傍の断面図である。
【符号の説明】
【００２３】
１…巻取りシャフト、１ａ，１ｂ…係止部、１ｃ…変形部、２…スラット、２ａ，２ｂ…カール部、２ｃ…湾曲部、３…シャッターカーテン、４…横ズレ防止用固定ネジ。
【図１】
2006328657.tif 000003
【図２】
2006328657.tif 000004
【図３】
2006328657.tif 000005
【図４】
2006328657.tif 000006
【図５】
2006328657.tif 000007